(57)【要約】【課題】他の椅子と組み合わせることにより、寝心地の良い簡易ベッドを構成することが可能な椅子を提供する。複数の椅子を互いに組み合わせることにより、寝心地の良い簡易ベッドを構成することが可能な椅子を提供する。【解決手段】前脚３と後脚４とを相対回動させることにより、折り畳み椅子１が、前脚３と後脚４とが平行に折り畳まれる折り畳み姿勢と、前脚３および後脚４が拡開して座２を支持する使用姿勢との間で姿勢変更させられる。折り畳み椅子１は、座２の各側辺２ａ〜２ｄに設けられ、使用姿勢において折り畳み椅子に隣接して配置される他の折り畳み椅子に連結するための連結部を含む。折り畳み椅子１の使用姿勢において、平面視において、前脚３および後脚４が、座２の各側辺２ａ〜２ｄのいずれより外方にはみ出ていない。【選択図】図１
2019088467.tif 000002
【特許請求の範囲】
【請求項１】
平面視矩形状の座と、前記座を下方から支持する脚とを有する椅子であって、前記使用姿勢において前記折り畳み椅子に隣接して配置される他の椅子に連結するための連結部を含み、
前記連結部が、
前記座の左側辺および右側辺にそれぞれ設けられ、前記使用姿勢において前記折り畳み椅子の左右に隣接して配置される他の椅子に連結するための左右連結部であって、当該他の椅子の座と係合する左右連結部と、
前記座の前側辺に設けられ、前記使用姿勢において前記折り畳み椅子の前方に隣接して配置される他の椅子に連結するための前側連結部であって、当該他の椅子の座と係合する前側連結部とを含み、
前記椅子の使用姿勢において、前記平面視において前記脚が前記左側辺、前記左側辺および前記右側辺より外方にはみ出ていない、椅子。
【請求項２】
前記椅子が、
相対回動可能に設けられた前脚および後脚とを有し、前記前脚と前記後脚とを相対回動させることにより、前記前脚と前記後脚とが折り畳まれる折り畳み姿勢と、前記前脚および前記後脚が拡開して前記座を支持する使用姿勢との間で姿勢変更可能に設けられた折り畳み椅子である、請求項１に記載の椅子。
【請求項３】
前記座に着座する着座者の背を支えるための背凭れをさらに含み、
前記座が、前記背凭れおよび／または前記後脚が通過するための切り欠きを有している、請求項２に記載の椅子。
【請求項４】
前記連結部が、前記座の後側辺に設けられ、前記使用姿勢において前記折り畳み椅子の後方に隣接して配置される他の椅子に連結するための後側連結部であって、当該他の椅子の座と係合する後側連結部をさらに含む、請求項３に記載の椅子。
【請求項５】
前記連結部が、前記他の椅子として前記折り畳み椅子と同じ諸元を有する椅子が採用された場合に、互いに隣り合う連結部同士が互いに対向するような位置に配置されており、
前記連結部が、互いに隣り合う連結部同士が係合可能に設けられている、請求項１〜４のいずれか一項に記載の椅子。
【請求項６】
前記連結部が、
第１の係合部と、
前記他の椅子として前記折り畳み椅子と同じ諸元を有する椅子が採用された場合に、当該他の椅子の前記第１の係合部に対向するような位置に配置された第２の係合部であって、当該他の椅子の前記第１の係合部に係合可能な第２の係合部とを含む、請求項５に記載の椅子。
【発明の詳細な説明】
【技術分野】
【０００１】
この発明は、椅子に関する。
【背景技術】
【０００２】
集会場や、会議室、イベントホール等、多人数を収容する場所で用いられる椅子が知られている。このような椅子は、下記特許文献１のように、座と、座を下方から支持する前脚および後脚とを有し、前脚と後脚とが略平行に折り畳まれる折り畳み姿勢と、前脚および後脚が拡開して座を支持する使用姿勢との間で折り畳み可能に設けられている。また、下記特許文献２および３には、椅子を左右方向に並べるとともに、左右方向に隣接する椅子同士を、連結部材を組み合わせて連結する手法が開示されている。
【先行技術文献】
【特許文献】
【０００３】
【特許文献１】特開２００２−７８５５７号公報
【特許文献２】特開２００２−１７７０８８号公報
【特許文献３】特開２０１７−１４８２６０号公報
【発明の概要】
【発明が解決しようとする課題】
【０００４】
ところで、集会やイベントでは、体調不良を訴える者が現れることがある。通常、集会場やイベントホールには、折り畳み椅子が常備されている。本願発明者は、折り畳み椅子を複数連結することで、このような体調不良を訴える者が横たわることができる簡易ベッドを設けることを検討している。この場合、特許文献２，３のように、複数の折り畳み椅子を左右に並べ、かつ隣接する折り畳み椅子同士を、連結部材を用いて連結することが考えられる。そして、複数の折り畳み椅子に体調不良者を横たわらせる。
【０００５】
しかしながら、特許文献２，３では、折り畳み椅子において平面視で座の外側にパイプフレームが存在するために、隣接する折り畳み椅子を連結したときにパイプフレーム同士が干渉し、そのため、隣接する座同士の間に隙間が形成される。したがって、左右方向に並べた複数の折り畳み椅子の上に人が横たわった場合、座の間の隙間に身体の一部が嵌るおそれがある。この場合、寝心地が悪い。
【０００６】
また、寝心地の向上のためには、簡易ベッドの幅を十分に確保する必要がある。そのため、一列に左右に並べられた複数の折り畳み椅子の前に対向するように、もう１列の折り畳み椅子を配置することも併せて考えられる。しかしながら、特許文献２，３に記載の折り畳み椅子では、使用姿勢において、座の前端より前脚の先端が前方にはみ出ている。そのため、折り畳み椅子を互いに対向するように配置した場合には、前脚の先端同士が干渉し合い、座同士の間に隙間が形成される。そのため、人が横たわった場合に座の間の隙間に身体の一部が嵌るという問題もある。
【０００７】
つまり、従前の折り畳み椅子を用いて簡易ベッドを構成すると、寝心地が非常に悪いという問題があった。このような問題は、特許文献１〜３のような折り畳み椅子に限られず、椅子一般に広く共通する課題である。
この発明は、このような背景の下でなされたものであり、他の椅子と組み合わせることにより、寝心地の良い簡易ベッドを構成することが可能な椅子を提供することを、発明の一つの目的とする。
【０００８】
また、この発明の他の目的は、複数の椅子を互いに組み合わせることにより、寝心地の良い簡易ベッドを構成することが可能な椅子を提供することである。
【課題を解決するための手段】
【０００９】
前記目的を達成すべく、この発明は、平面視矩形状の座と、前記座を下方から支持する脚とを有する椅子であって、前記使用姿勢において前記折り畳み椅子に隣接して配置される他の椅子に連結するための連結部を含み、前記連結部が、前記座の左側辺および右側辺にそれぞれ設けられ、前記使用姿勢において前記折り畳み椅子の左右に隣接して配置される他の椅子に連結するための左右連結部であって、当該他の椅子の座と係合する左右連結部と、前記座の前側辺に設けられ、前記使用姿勢において前記折り畳み椅子の前方に隣接して配置される他の椅子に連結するための前側連結部であって、当該他の椅子の座と係合する前側連結部とを含み、前記椅子の使用姿勢において、前記平面視において前記脚が前記左側辺、前記左側辺および前記右側辺より外方にはみ出ていない、椅子を提供する。
【００１０】
この構成によれば、座の前側辺、左側辺、後側辺および右側辺のうちの少なくとも一側辺に、連結部が設けられている。そのため、折り畳み椅子を、使用姿勢において折り畳み椅子に隣接して配置される他の椅子と、連結部を介して連結させることができる。連結部を座に設けるので、座同士を連結させることが可能であり、この場合、座同士の直接連結により、折り畳み椅子を他の椅子と強固に連結させることが可能である。したがって、折り畳み椅子を他の椅子と組み合わせることにより、または、複数の折り畳み椅子を組み合わせることにより、簡易ベッドを構成できる。
【００１１】
より具体的には、前記座が、平面視正方形をなしていてもよい。
【図面の簡単な説明】
【００１２】
【図１】この発明の第１の一実施形態に係る折り畳み椅子の使用姿勢を示す斜視図である。
【図２】前記折り畳み椅子の使用姿勢を示す斜視図である。
【図３】前記折り畳み椅子の使用姿勢を示す平面図である。
【図４】前記折り畳み椅子の使用姿勢を示す側面図である。
【図５】前記折り畳み椅子の折り畳み姿勢を示す側面図である。
【図６】図１に示す構成から、座本体および背凭れクッションを取り外した状態を示す斜視図である。
【図７】前記座本体の構成を示す分解斜視図である。
【図８Ａ】前記座本体の構成を示す斜視図である。
【図８Ｂ】前記折り畳み椅子の前後左右に隣接して他の折り畳み椅子を配置した状態を示す平面図である。
【図９】図８Ｂの切断面線IXA- IXAおよび切断面線IXB- IXBで切断したときの断面図を示す図である。
【図１０】前記他の折り畳み椅子の向きを変更した状態をそれぞれ示す図である。
【図１１】前記折り畳み椅子を複数組み合わせて第１のベッド態様にしたときの斜視図である。
【図１２】前記折り畳み椅子を複数組み合わせて第２のベッド態様にしたときの斜視図である。
【図１３】第２の実施形態に係るスタッキング椅子の斜視図である。
【図１４】前記スタッキング椅子を複数重ね合わせた状態を示す。。
【図１５】前記スタッキング椅子を複数組み合わせて、第３のベッド使用姿勢としたときの斜視図である。
【発明を実施するための形態】
【００１３】
以下、図面を参照しながら、この発明の実施形態について説明をする。
＜第１の実施形態＞
図１および図２は、この発明の第１の実施形態に係る折り畳み椅子（椅子）１の使用姿勢を示す斜視図である。図３は、折り畳み椅子１の使用姿勢を示す平面図である。図４は、折り畳み椅子１の使用姿勢を示す側面図である。図５は、折り畳み椅子１の折り畳み姿勢を示す側面図である。図６は、図１に示す構成から、座本体２２および背凭れクッション５２を取り外した状態を示す斜視図である。
【００１４】
折り畳み椅子１は、会議室や集会場等で好適に使用される。以下、折り畳み椅子１に着座した状態の利用者から見て前方を「前方」とし、当該利用者側から見て後方を「後方」として説明する。また、当該利用者から見て左方を「左方」とし、利用者から見て右方を「右方」として説明する。
折り畳み椅子１は、上面に着座面２ｅを有し、平面視略正方形をなす座２と、座２を下方から支持し、相対回動可能に設けられた前脚（脚）３および後脚（脚）４と、座２に着座する着座者の背を支えるための背凭れ５とを含む。折り畳み椅子１は、前脚３と後脚４とを相対回動させることにより、前脚３と後脚４とが平行に折り畳まれる折り畳み姿勢（図５参照）と、前脚３および後脚４が拡開して座２を支持する使用姿勢（図１〜図４参照）との間で姿勢変更可能に設けられている。
【００１５】
この実施形態では、使用姿勢にある折り畳み椅子１を複数並べることにより、簡易ベッドを構成することができるようになっている（後述する図１１および図１２参照）。このとき、互いに隣接する座２の側辺同士が連結される。
前脚３は、下部に設けられ、左右方向に延びる左右フレーム３１と、左右フレーム３１の左右両端に連続して後方に延びる、一対の縦フレーム３２とを有している。一対の縦フレーム３２は、互いに平行にかつ左右フレーム３１に対して垂直に延びている。前脚３は、たとえば円筒状をなし、金属材料（スチール材料、アルミ材料等）を用いて全体として一体に形成されている。各縦フレーム３２の上端３２ａは、座２の後述する軸芯ロッド２５に回動自在に連結されている。左右フレーム３１は使用時に接地する部分である。着座時におけるガタつきを防止すべく、左右フレーム３１に、樹脂などで形成された接地部材を適宜取り付けてもよい。
【００１６】
後脚４は、下部に設けられ、左右方向に延びる左右フレーム４１と、左右フレーム４１の左右両端に連続して後方に延びる一対の縦フレーム４２とを有している。一対の縦フレーム４２は、互いに平行にかつ左右フレーム４１に対して垂直に延びている。後脚４は、たとえば円筒状をなし、金属材料（スチール材料、アルミ材料等）を用いて全体として一体に形成されている。各縦フレーム４２の上端部４２ａには、ヒンジ４３が結合されている。ヒンジ４３は、座２の左右両側部を回動可能に支持する。左右フレーム４１は使用時に接地する部分である。着座時におけるガタつきを防止すべく、左右フレーム４１に、樹脂などで形成された接地部材を適宜取り付けてもよい。
【００１７】
折り畳み椅子１は、前脚３の途中部と後脚４の途中部との間に架け渡されたリンク杆６をさらに含む。リンク杆６の前端６ａは、前脚３の途中部に設けられた軸芯ロッド２５に回動自在に連結されている。リンク杆６の後端６ｂは、後脚４の途中部に設けられた軸芯ロッド２５に回動自在に連結されている。
背凭れ５は、後脚４の上端、すなわち各縦フレーム４２の上端部４２ａに連続して設けられた背凭れフレーム５１（とくに図６参照）と、背凭れフレーム５１に取り付けられ、着座者の背を支えるための背凭れクッション５２とを含む。背凭れクッション５２は、樹脂材料（たとえばポリプロピレンや再生ポリエチレンなど）を用いて形成されている。
【００１８】
背凭れフレーム５１は、左右方向に延びる左右フレーム５３と、左右フレーム５３の左右両端に連続して後方に延びる一対の縦フレーム５４とを有している。一対の縦フレーム５４は、互いに平行にかつ左右フレーム５３に対して垂直に延びている。背凭れフレーム５１は、たとえば円筒状をなし、金属材料（スチール材料、アルミ材料等）を用いて全体として一体に形成されている。一対の縦フレーム５４が一対の縦フレーム４２に一対一対応で設けられており、各縦フレーム５４の下端５４ａが対応する縦フレーム４２の上端部４２ａに取り付けられている。この実施形態では、背凭れフレーム５１が後脚４に対し、着脱可能に設けられている。背凭れフレーム５１が、前述の構成に限られず、一対の縦フレーム５４によって構成されていてもよいし、板状をなしていてもよい。
【００１９】
座２は、平面視で、正方形から、左後隅および右後隅が切り欠かれた形状をなしている。具体的には、座２は、それぞれ直線状をなす、前側辺２ａ、左側辺２ｂ、後側辺２ｃおよび右側辺２ｄを有している。前側辺２ａと後側辺２ｃとの最短距離、および左側辺２ｂと右側辺２ｄとの最短距離は互いに等しい。座本体２２の左後隅および右後隅には、それぞれ、背凭れ５の縦フレーム５４および／または後脚４の縦フレーム４２が通過するための切り欠き２６が形成されている。この実施形態では、図４に示すように、切り欠き２６によって区画される空間に、縦フレーム５４および縦フレーム４２の両方が存在している。
【００２０】
折り畳み椅子１の使用姿勢において、座２の左側辺２ｂは、縦フレーム３２，４２の左端と揃っているか、縦フレーム３２，４２の左端より左方に張り出している（この実施形態では、僅かに張り出している）。また、座２の右側辺２ｄは、縦フレーム３２，４２の右端と揃っているか、縦フレーム３２，４２の右端より右方に張り出している（この実施形態では、僅かに張り出している）。
【００２１】
折り畳み椅子１の使用姿勢において、座２の前側辺２ａは、縦フレーム３２の前端と揃っているか、縦フレーム３２の前端より前方に張り出している（この実施形態では、僅かに張り出している）。また、座２の後側辺２ｃは、縦フレーム４２の後端と揃っているか、縦フレーム４２の後端より後方に張り出している（この実施形態では、僅かに張り出している）。
【００２２】
そのため、折り畳み椅子１の使用姿勢において、平面視において、前脚３および後脚４が、座２の前側辺２ａ、左側辺２ｂ、後側辺２ｃおよび右側辺２ｄのいずれより外方にはみ出ていない。切り欠き２６に背凭れ５の縦フレーム５４（背凭れの一部）を通過させるので、背凭れ５と座２とが干渉することなく、座２を、隣接して配置される他の折り畳み椅子１Ａ〜１Ｄの座２と連結させることができる。
【００２３】
座２は、後脚４に回動可能に連結される板状の座フレーム２１（とくに図６参照）と、座フレーム２１に固定され、座フレーム２１の上方、前方、後方、左方および右方を覆う座本体２２とを含む。
座フレーム２１は、中央に開口を有し、かつ平面視で後方が開いた略コ字形状をなしている。座フレーム２１は、左右方向に延びる左右フレーム２３と、左右フレーム２３の左右両端に連続して後方に延びる一対の前後フレーム２４とを有している。一対の前後フレーム２４は、互いに平行にかつ左右フレーム２３に対して垂直に延びている。座フレーム２１は、たとえば円筒状をなし、金属材料（スチール材料、アルミ材料等）を用いて全体として一体に形成されている。座フレーム２１が略ロ字形状をなしていてもよい。
【００２４】
一対の前後フレーム２４が一対の縦フレーム４２に一対一対応で設けられており、各前後フレーム２４の後端部が、対応する縦フレーム４２の上端部４２ａに、左右方向に延びる回動軸を有するヒンジ４３を介して回動自在に連結されている。
座フレーム２１は、図３および図６に示すように、一対の前後フレーム２４の前後方向の途中部同士に架け渡された軸芯ロッド２５をさらに含む。座フレーム２１は、軸芯ロッド２５は、金属材料（スチール材料、アルミ材料等）を用いて形成されており、左右方向に延びている。軸芯ロッド２５の左右端は、一対の前後フレーム２４の途中部に固定されている。前述のように、軸芯ロッド２５に、前脚３の一対の縦フレーム３２の上端が、軸芯ロッド２５まわりに回動自在に連結されている。
【００２５】
図７（ａ），７（ｂ）は、座本体２２の構成を示す分解斜視図である。図８Ａは、座本体２２の構成を示す斜視図である。図７（ａ），７（ｂ）および図８Ａに併せて図１〜図６を参照しながら座本体２２の構成について詳細に説明する。
座本体２２は、下面が開放した厚みの薄い箱状をなしている。座本体２２は、下面が開放した厚みの薄い箱状をなしている。座本体２２は、四角環状の座面枠２７と、座面枠２７の上面を覆うクッション２８とを含む。
【００２６】
四角環状の座面枠２７は、外郭が座本体２２の平面視形状と整合する、平面視正方形の四角環状の上面板２９と、上面板２９の４つの側縁（前側縁、左側縁、後側縁および右側縁）から垂下する４つのリブ（前側リブ７０ａ（座２の前側辺２ａを構成）、左側リブ７０ｂ（座２の左側辺２ｂを構成）、後側リブ７０ｃ（座２の後側辺２ｃを構成）および右側リブ７０ｄ（座２の後側辺２ｄを構成））を含む。これら４つのリブ７０ａ，７０ｂ，７０ｃ，７０ｄは、上面板２９の左後隅および右後隅を除いて、上面板２９の周方向の全域に跨って設けられている。座面枠２７は、たとえば、ポリプロピレン等の耐候性の高い樹脂材料を用いて一体に形成されている。座面枠２７が金属材料を用いて形成されていてもよい。座面枠２７が四角環状ではなく、四角板状をなしていてもよい。
【００２７】
前側リブ７０ａには、前側連結部が設けられている。この前側連結部は、使用姿勢にある折り畳み椅子１の前方に隣接して配置される他の折り畳み椅子１の座２に係合して、当該他の折り畳み椅子と連結するための連結部である。この前側連結部は、前側リブ７０ａにおいて、左右方向に互いに間隔を隔てて配置された、第１の前側係合部（第１の係合部）７１ａおよび第２の前側係合部（第２の係合部）７２ａを含む。第１の前側係合部７１ａはたとえば上向きのフックであり、前側リブ７０ａから前方に向けて水平に延びる水平部７３と、水平部７３の先端から上方に向けて延びる立上部７４とを含む。この実施形態では、第１の前側係合部７１ａは、前側リブ７０ａと一体に形成されているが、前側リブ７０ａと別部材によって設けられていてもよい。第２の前側係合部７２ａは係合溝である。そのため、第２の前側リブ７０ａのうち第２の前側係合部７２ａを区画する部分の下端縁は、それ以外の部分の下端縁より一段高く設けられている。第１の前側係合部７１ａは左側（すなわち、座２の前方から見て右側）に、第２の前側係合部７２ａは右側（すなわち、座２の前方から見て左側）にそれぞれ配置されている。第１の前側係合部７１ａと座２の左側辺２ｂとの間の最短距離は、第２の前側係合部７２ａと座２の右側辺２ｄとの間の最短距離と等しい。すなわち、第１および第２の前側係合部７１ａ，７２ａが、座２の前側辺２ａにおいて、正面視正方形である座２の中心を通りかつ前側辺２ａに垂直な仮想線に関し、線対称な位置に配置されている。
【００２８】
左側リブ７０ｂには、左側連結部（左右連結部）が設けられている。この左側連結部は、使用姿勢にある折り畳み椅子１の左方に隣接して配置される他の折り畳み椅子１の座２に係合して、当該他の折り畳み椅子と連結するための連結部である。この左側連結部は、左側リブ７０ｂにおいて、前後方向に互いに間隔を隔てて配置された、第１の左側係合部（第１の係合部）７１ｂおよび第２の左側係合部（第２の係合部）７２ｂを含む。第１の左側係合部７１ｂは、上向きのフックであり、第１の前側係合部７１ａと同一の諸元を有している。第２の左側係合部７２ｂは、係合溝であり、第２の前側係合部７２ａと同一の諸元を有している。第１の左側係合部７１ｂは後側（すなわち、座２の左方から見て右側）に、第２の左側係合部７２ｂは前側（すなわち、座２の左方から見て左側）にそれぞれ配置されている。第１の左側係合部７１ｂと座２の左側辺２ｂとの間の最短距離は、第２の左側係合部７２ｂと座２の右側辺２ｄとの間の最短距離と等しい。すなわち、第１および第２の左側係合部７１ｂ，７２ｂが、座２の左側辺２ｂにおいて、正面視正方形である座２の中心を通りかつ左側辺２ｂに垂直な仮想線に関し、線対称な位置に配置されている。
【００２９】
後側リブ７０ｃには、後側連結部が設けられている。この後側連結部は、使用姿勢にある折り畳み椅子１の後方に隣接して配置される他の折り畳み椅子１の座２に係合して、当該他の折り畳み椅子と連結するための連結部である。この後側連結部は、後側リブ７０ｃにおいて、左右方向に互いに間隔を隔てて配置された、第１の後側係合部（第１の係合部）７１ｃおよび第２の後側係合部（第２の係合部）７２ｃを含む。第１の後側係合部７１ｃは、上向きのフックであり、第１の前側係合部７１ａと同一の諸元を有している。第２の後側係合部７２ｃは、係合溝であり、第２の前側係合部７２ａと同一の諸元を有している。第１の後側係合部７１ｃは右側（すなわち、座２の後方から見て右側）に、第２の後側係合部７２ｃは左側（すなわち、座２の後方から見て左側）にそれぞれ配置されている。第１の後側係合部７１ｃと座２の後側辺２ｃとの間の最短距離は、第２の後側係合部７２ｃと座２の右側辺２ｄとの間の最短距離と等しい。すなわち、第１および第２の後側係合部７１ｃ，７２ｃが、座２の後側辺２ｃにおいて、正面視正方形である座２の中心を通りかつ後側辺２ｃに垂直な仮想線に関し、線対称な位置に配置されている。
【００３０】
右側リブ７０ｄには、右側連結部（左右連結部）が設けられている。この右側連結部は、使用姿勢にある折り畳み椅子１の右方に隣接して配置される他の折り畳み椅子１の座２に係合して、当該他の折り畳み椅子と連結するための連結部である。この右側連結部は、右側リブ７０ｄにおいて、前後方向に互いに間隔を隔てて配置された、第１の右側係合部（第１の係合部）７１ｄおよび第２の右側係合部（第２の係合部）７２ｄを含む。第１の右側係合部７１ｄは、上向きのフックであり、第１の前側係合部７１ａと同一の諸元を有している。第２の右側係合部７２ｄは、係合溝であり、第２の前側係合部７２ａと同一の諸元を有している。第１の右側係合部７１ｄは前側（すなわち、座２の右方から見て右側）に、第２の右側係合部７２ｄは後側（すなわち、座２の右方から見て左側）にそれぞれ配置されている。第１の右側係合部７１ｄと座２の右側辺２ｄとの間の最短距離は、第２の右側係合部７２ｄと座２の右側辺２ｄとの間の最短距離と等しい。すなわち、第１および第２の右側係合部７１ｄ，７２ｄが、座２の右側辺２ｄにおいて、正面視正方形である座２の中心を通りかつ右側辺２ｄに垂直な仮想線に関し、線対称な位置に配置されている。
【００３１】
換言すると、座２の前側辺２ａ、左側辺２ｂ、後側辺２ｃおよび右側辺２ｄには、第１の係合部７１ａ，７１ｂ，７１ｃ，７１ｄおよび第２の係合部７２ａ，７２ｂ，７２ｃ，７２ｄが、各側辺に対向する位置から見て互いに等しい配置順序で配置されている。また、第１の係合部７１ａ〜７１ｄおよび第２の係合部７２ａ〜７２ｄが、座２の各側辺２ａ，２ｂ，２ｃ，２ｄにおいて対称な位置に配置されている。また、第１の係合部７１ａ〜７１ｄは互いに同一の諸元を有しており、第２の係合部７２ａ〜７２ｄは互いに同一の諸元を有している。
【００３２】
クッション２８は、座本体２２の平面視形状と整合する形状のシート状の部材であり、発泡プラスチックの表面をプラスチック製のシート・布地で覆って構成されている。クッション２８の上面は、平坦面からなり、着座面２ｅを構成している。クッション２８はビス止めによって座本体２２に固定されている。
図１〜図４に示す、折り畳み椅子１の使用姿勢から、後脚４に対し、座２を押し上げかつ後方に向けて倒すと、座２の軸芯ロッド２５に回動自在に連結された前脚３の上端が上がり、これに伴い、後脚４に対して前脚３が回動する。その結果、折り畳み椅子１は、図５に示すような折り畳み姿勢を呈するようになる。この折り畳み姿勢では、前脚３と後脚４とが略平行をなしている。
【００３３】
逆に、折り畳み椅子１の折り畳み姿勢から、後脚４に対し、座２を前方に向けて引き出すと、座２の軸芯ロッド２５に回動自在に連結された前脚３の上端が上がり、これに伴い、左右フレーム４１に対し左右フレーム３１が相対的に前方に離反するように、後脚４に対して前脚３が回動する。その結果、折り畳み椅子１は、図５に示すような使用姿勢を呈するようになる。
【００３４】
図８Ｂは、折り畳み椅子１の前後左右に隣接して他の折り畳み椅子１Ａ〜１Ｄを配置した状態を示す平面図である。図９（ａ），９（ｂ）は、それぞれ、図８Ｂの切断面線IXA- IXAおよび切断面線IXB- IXBで切断したときの断面図を示す図である。図８Ｂでは、他の折り畳み椅子１Ａ〜１Ｄが、その前方を折り畳み椅子１に向けて配置されている。図８Ｂでは、図示の関係上、他の折り畳み椅子１Ａ〜１Ｄを破線で示している。他の折り畳み椅子１Ａ〜１Ｄは、折り畳み椅子１と同じ諸元を有している。
【００３５】
まず、図８Ｂを参照して、折り畳み椅子１の前側に隣接して他の折り畳み椅子（折り畳み椅子１と同じ諸元を有する折り畳み椅子）を配置した場合を考える。この場合の他の折り畳み椅子を「他の折り畳み椅子１Ａ」とする。前述のように、折り畳み椅子１の使用姿勢において、平面視において、前脚３が、座２の前側辺２ａより外方にはみ出ていない。そのため、折り畳み椅子１の前側に隣接して他の折り畳み椅子１Ａを配置した場合に、折り畳み椅子１，１Ａの前脚３同士が干渉しない。これにより、折り畳み椅子１，１Ａの座２の前側辺２ａ同士を隙間なく接触させることできる。
【００３６】
また、第１の前側係合部７１ａおよび第２の前側係合部７２ａが、前側辺２ａにおいて左右対称な位置に配置されているので、他の折り畳み椅子１Ａの座２が、図８Ｂに示すようにその側辺が折り畳み椅子１の左側辺２ｂおよび右側辺２ｄに揃うように配置された状態では、折り畳み椅子１の第１の前側係合部７１ａに、他の折り畳み椅子１Ａの第２の前側係合部７２ａが対向し、かつ折り畳み椅子１の第２の前側係合部７２ａに、他の折り畳み椅子１Ａの第１の前側係合部７１ａが対向する。そして、折り畳み椅子１，１Ａの座２の前側辺２ａ同士を接触させる際に、図９（ａ）および図９（ｂ）に示すように、折り畳み椅子１の第１の前側係合部７１ａと他の折り畳み椅子１Ａの第２の前側係合部７２ａとを互いに係合させ、かつ折り畳み椅子１の第２の前側係合部７２ａと他の折り畳み椅子１Ａの第１の前側係合部７１ａとを互いに係合させる。これにより、折り畳み椅子１の座２と、他の折り畳み椅子１Ａの座２とを強固に連結させることができる。とくに、２カ所で係合が図られているので、より強固な連結を実現できる。
【００３７】
次に、図８Ｂを参照して、折り畳み椅子１の左側に隣接して他の折り畳み椅子（折り畳み椅子１と同じ諸元を有する折り畳み椅子）を配置した場合、折り畳み椅子１の後側に隣接して他の折り畳み椅子を配置した場合、および折り畳み椅子１の右側に隣接して他の折り畳み椅子を配置した場合をそれぞれ考える。これらの場合の他の折り畳み椅子を、それぞれ、「折り畳み椅子１Ｂ」、「折り畳み椅子１Ｃ」、「折り畳み椅子１Ｄ」とする。図８Ｂでは、第２の係合部７２ａ〜７２ｄを省略している。
【００３８】
前述のように、折り畳み椅子１の使用姿勢において、平面視において、前脚３および後脚４が、座２の前側辺２ａ、左側辺２ｂ、後側辺２ｃおよび右側辺２ｄのいずれより外方にはみ出ていない。そのため、折り畳み椅子１の左側、後側または右側に隣接して他の折り畳み椅子１Ｂ，１Ｃ，１Ｄを配置した場合に、折り畳み椅子１の前脚３と、他の折り畳み椅子１Ｂ，１Ｃ，１Ｄの脚（前脚３および／または後脚４）とが干渉しない。これにより、折り畳み椅子１の座２の前側辺２ａと、折り畳み椅子１Ｂ，１Ｃ，１Ｄの座２の側辺２ｂ〜２ｄとを隙間なく接触させることできる。
【００３９】
また、前述のように、第１の係合部７１ａ〜７１ｄおよび第２の係合部７２ａ〜７２ｄが、各側辺に対向する位置から見て互いに等しい配置順序で配置されている。さらに、前述のように、第１の係合部７１ａ〜７１ｄおよび第２の係合部７２ａ〜７２ｄが、座２の各側辺２ａ〜２ｄにおいて対称な位置に配置されている。そのため、他の折り畳み椅子１Ｂ，１Ｃ，１Ｄの座２が、図８Ｂに示すようにその側辺が折り畳み椅子１の左側辺２ｂおよび右側辺２ｄに揃うように配置された状態では、折り畳み椅子１の第１の前側係合部７１ａに、他の折り畳み椅子１Ｂ，１Ｃ，１Ｄの第２の係合部７２ｂ，７２ｃ，７２ｄが対向し、かつ折り畳み椅子１の第２の前側係合部７２ａに、他の折り畳み椅子１Ｂ，１Ｃ，１Ｄの第１の係合部７１ｂ，７１ｃ，７１ｄが対向する。
【００４０】
前述のように、第１の係合部７１ａ〜７１ｄが互いに同一の諸元を有しており、第２の係合部７２ａ〜７２ｄが互いに同一の諸元を有している。そして、折り畳み椅子１の座２の前側辺２ａと、他の折り畳み椅子１Ｂ〜１Ｄの座２の側辺２ｂ〜２ｄとを接触させる際に、折り畳み椅子１の第１の前側係合部７１ａと他の折り畳み椅子１Ｂ〜１Ｄの第２の係合部７２ｂ〜７２ｄとを互いに係合させ、かつ折り畳み椅子１の第２の前側係合部７２ａと他の折り畳み椅子１Ｂ〜１Ｄの第１の係合部７１ｂ〜７１ｄとを互いに係合させる。これにより、折り畳み椅子１の座２と、他の折り畳み椅子１Ｂ〜１Ｄの座２とを強固に連結させることができる。とくに、２カ所で係合が図られているので、より強固な連結を実現できる。
【００４１】
図８Ｂでは、他の折り畳み椅子１Ａ〜１Ｄの前方が折り畳み椅子１に向けて配置される場合を例に挙げて説明した。次に、他の折り畳み椅子１Ａ〜１Ｄの向きを変更した場合について説明する。
図１０（ａ）〜１０（ｃ）は、前記の他の折り畳み椅子の向きを変更した状態をそれぞれ示す図である。図１０（ａ）〜１０（ｃ）では、他の折り畳み椅子として折り畳み椅子１Ａを採用する場合を例に挙げる。他の折り畳み椅子として折り畳み椅子１Ｂ〜１Ｄを採用する場合の説明は省略する。図１０（ａ）〜１０（ｃ）では、第２の係合部７２ａ〜７２ｄを省略している。
【００４２】
図１０（ａ）および図１０（ｂ）には、他の折り畳み椅子１Ａが、その前側が、折り畳み椅子１と９０°異なる方向を向くように配置された状態が示されている。また、図１０（ｃ）には、他の折り畳み椅子１Ａが、その前側が、折り畳み椅子１とは反対側を向くように配置された状態が示されている。
前述のように、折り畳み椅子１の使用姿勢において、平面視において、前脚３および後脚４が、座２の前側辺２ａ、左側辺２ｂ、後側辺２ｃおよび右側辺２ｄのいずれより外方にはみ出ていない。そのため、他の折り畳み椅子１Ａの向きを、図１０（ａ）〜１０（ｃ）に示すいずれの向きにした場合であっても、折り畳み椅子１の前脚３と、他の折り畳み椅子１Ａの脚（前脚３および／または後脚４）とが干渉しない。これにより、折り畳み椅子１の座２の前側辺２ａと、折り畳み椅子１Ａの座２の側辺２ｂ〜２ｄとを隙間なく接触させることできる。
【００４３】
また、前述のように、第１の係合部７１ａ〜７１ｄおよび第２の係合部７２ａ〜７２ｄが、各側辺に対向する位置から見て互いに等しい配置順序で配置されている。さらに、前述のように、第１の係合部７１ａ〜７１ｄおよび第２の係合部７２ａ〜７２ｄが、座２の各側辺２ａ〜２ｄにおいて対称な位置に配置されている。そのため、他の折り畳み椅子１Ａの座２が、図１０（ａ）〜１０（ｃ）に示すようにその側辺が折り畳み椅子１の左側辺２ｂおよび右側辺２ｄに揃うように配置された状態では、折り畳み椅子１の第１の前側係合部７１ａに、他の折り畳み椅子１Ａの第２の係合部７２ｂ〜７２ｄが対向し、かつ折り畳み椅子１の第２の前側係合部７２ａに、他の折り畳み椅子１Ａの第１の係合部７１ｂ〜７１ｄが対向する。
【００４４】
前述のように、第１の係合部７１ａ〜７１ｄが互いに同一の諸元を有しており、第２の係合部７２ａ〜７２ｄが互いに同一の諸元を有している。そして、折り畳み椅子１の座２の前側辺２ａと、他の折り畳み椅子１Ａの座２の側辺２ｂ〜２ｄとを接触させる際に、折り畳み椅子１の第１の前側係合部７１ａと他の折り畳み椅子１Ａの第２の係合部７２ｂ〜７２ｄとを互いに係合させ、かつ折り畳み椅子１の第２の前側係合部７２ａと他の折り畳み椅子１Ａの第１の係合部７１ｂ〜７１ｄとを互いに係合させる。これにより、折り畳み椅子１の座２と、他の折り畳み椅子１Ａの座２とを強固に連結させることができる。とくに、２カ所で係合が図られているので、より強固な連結を実現できる。
【００４５】
図１１は、折り畳み椅子１を複数組み合わせて第１のベッド態様にしたときの斜視図である。４つの折り畳み椅子１を左右方向に連結させて１つの椅子列を作り、その椅子列２つを互いに前後に対向させ、その対向する折り畳み椅子１同士を連結することにより、第１のベッド態様にすることができる。
図１２は、折り畳み椅子１を複数組み合わせて第２のベッド態様にしたときの斜視図である。図１１において、各折り畳み椅子１から背凭れ５を取り除くことにより、第２のベッド態様にすることができる。
【００４６】
さらに他のベッド態様例として、複数（たとえば４個）の折り畳み椅子を１列に並べることにより簡易ベッドを構成する例を挙げることができる。
折り畳み椅子１を複数組み合わせてベッドを構成するときの態様は、以上説明した態様に限られるものではなく、種々の態様の組み合わせが可能である。
以上により、この実施形態によれば、折り畳み椅子１の使用姿勢において、平面視において、前脚３および後脚４が、座２の前側辺２ａ、左側辺２ｂ、後側辺２ｃおよび右側辺２ｄのいずれより外方にはみ出ていない。そのため、折り畳み椅子１の前側、左側、後側または右側に隣接して他の折り畳み椅子１Ａ，１Ｂ，１Ｃ，１Ｄを配置した場合に、折り畳み椅子１の前脚３と、他の折り畳み椅子１Ａ〜１Ｄの脚（前脚３および／または後脚４）とが干渉しない。これにより、折り畳み椅子１の座２の側辺と、他の折り畳み椅子１Ａ〜１Ｄの座２の側辺とを隙間なく接触させることできる。
【００４７】
また、座２の前側辺２ａ、左側辺２ｂ、後側辺２ｃおよび右側辺２ｄの各々に、連結部（第１の係合部７１ａ〜７１ｄおよび第２の係合部７２ａ〜７２ｄ）が設けられている。そのため、折り畳み椅子１を、使用姿勢において折り畳み椅子１に前後左右に隣接して配置される他の折り畳み椅子１Ｂ〜１Ｄと、連結部を介して連結させることができる。したがって、複数の折り畳み椅子１を前後左右に組み合わせることにより、簡易ベッドを構成できる。
【００４８】
以上により、折り畳み椅子１を用いて簡易ベッドを構成することができ、かつ簡易ベッドを構成した場合の寝心地を良くできる。
また、座２が平面視正方形状をなしている。第１の係合部７１ａ〜７１ｄおよび第２の係合部７２ａ〜７２ｄが、各側辺に対向する位置から見て互いに等しい配置順序で配置されている。さらに、前述のように、第１の係合部７１ａ〜７１ｄおよび第２の係合部７２ａ〜７２ｄが、座２の各側辺２ａ〜２ｄにおいて対称な位置に配置されている。この場合、折り畳み椅子１の第１の係合部７１ａ〜７１ｄおよび第２の係合部７２ａ〜７２ｄが、それぞれ、他の折り畳み椅子１Ａ〜１Ｄの第２の係合部７２ａ〜７２ｄおよび第１の係合部７１ａ〜７１ｄに対向する。
【００４９】
加えて、第１の係合部７１ａ〜７１ｄが互いに同一の諸元を有しており、第２の係合部７２ａ〜７２ｄが互いに同一の諸元を有している。そのため、折り畳み椅子１に連結される他の折り畳み椅子１Ａ〜１Ｄの向き（前後左右の姿勢）を、前後左右のいずれの向きにした場合であっても（その前方を前後左右のいずれに向けても）、折り畳み椅子１の第１の係合部７１ａ〜７１ｄおよび第２の係合部７２ａ〜７２ｄを、それぞれ、他の折り畳み椅子１Ａ〜１Ｄの第２の係合部７２ａ〜７２ｄおよび第１の係合部７１ａ〜７１ｄに係合させることができる。
【００５０】
フック（第１の係合部７１ａ〜７１ｄ）と係合溝（第２の係合部７２ａ〜７２ｄ）という簡素な係合手法であるので、コストアップすることなく、ワンタッチで係合を実現できる。
したがって、折り畳み椅子１の４つの側辺のいずれも他の折り畳み椅子１Ａ〜１Ｄを連結させることが可能であり、かつ、この連結される他の折り畳み椅子１Ａ〜１Ｄの向きを前後左右のいずれにすることができる。すなわち、折り畳み椅子１および他の折り畳み椅子１Ａ〜１Ｄ各々を、向きを問わず連結することができる。
【００５１】
図１〜図１２に示す第１の実施形態において、背凭れ５が後脚４に対し、着脱不能に設けられていてもよい。
＜第２の実施形態＞
図１３は、第２の形態に係るスタッキング椅子（椅子）１０１の斜視図である。図１４は、スタッキング椅子１０１を複数重ね合わせた状態を示す。
【００５２】
スタッキング椅子１０１は、座１０２と、座１０２を下方から支持する４本の脚１０３と、座１０２に着座する着座者の背を支えるための背凭れ１０５とを含む。スタッキング椅子１０１は、脚１０３同士が折り畳み不能に設けられている。
座１０２は、平面視で四角枠状の座フレーム１２１と、座フレーム１２１に支持される座本体１２２とを含む。
【００５３】
座フレーム１２１は、中央に開口を有し、かつ平面視で後方が開いた略コ字形状をなしている。座フレーム１２１は、左右方向に延びる左右フレーム１２３と、左右フレーム１２３の左右両端に連続して後方に延びる一対の前後フレーム１２４とを有している。座フレーム１２１は、さらに、前後フレーム１２４の後端部を連結する回動軸フレーム１２５と、前後フレーム１２４の途中部を連結する補強フレーム１２６とを含む。回動軸フレーム１２５が、座本体１２２を、当該回動軸フレーム１２５まわりに回動可能に支持している。座フレーム１２１は、金属材料（スチール材料、アルミ材料等）を用いて形成されている。座フレーム１２１が略ロ字形状をなしていてもよい。
【００５４】
座本体１２２は、水平方向に延びる使用姿勢（図１３（ａ））と、鉛直方向に延びる収納姿勢（図１３（ｂ））との間で、姿勢変更可能に設けられている。使用姿勢において、座本体１２２は、座フレーム１２１の上方、前方、後方、左方および右方を覆う。座本体１２２を収納姿勢にした状態で、図１４に示すように、複数のスタッキング椅子１０１を重ね合わせることができる。
【００５５】
座本体１２２は、回動軸フレーム１２５によって回動可能に支持される点を除き、座本体２２（図１等参照）と同等の構成を有している。そのため、座本体１２２の各部については、座本体２２（図１等参照）の各部と同等の参照符号を付し、説明を省略する。
４本の脚１０３は、座フレーム１２１の四隅から鉛直下方に延びている。この実施形態では、左前脚１０３ａと左後脚１０３ｂとがそれらの下端部分で連結されており、右前脚１０３ｃと右後脚１０３ｄとがそれらの下端部分で連結されている。
【００５６】
背凭れ１０５は、座フレーム１２１の左後隅および右後隅に連続して上方に向けて延びる背凭れフレーム１５１と、背凭れフレーム５１に取り付けられ、着座者の背を支えるための背凭れ本体部１５２とを含む。背凭れフレーム１５１は、金属材料（スチール材料、アルミ材料等）を用いて形成されている。背凭れ本体部１５２は、樹脂材料（たとえばポリプロピレンや再生ポリエチレンなど）を用いて形成されている。
【００５７】
座本体１２２が座本体２２（図１等参照）と同等の構成を有しているので、座１０２が、平面視略正方形をなしている。具体的には、座１０２は、平面視で、正方形から、左後隅および右後隅が切り欠かれた形状をなしている。座本体１２２の左後隅および右後隅に形成された切り欠き２６を、回動軸フレーム１２５が通過している。
スタッキング椅子１０１の使用姿勢（座１０２が使用姿勢にある状態をいう）において、座１０２の左側辺１０２ｂは、左前脚１０３ａおよび左後脚１０３ｂの左端と揃っているか、左前脚１０３ａおよび左後脚１０３ｂの左端より左方に張り出している（この実施形態では、僅かに張り出している）。また、座１０２の右側辺１０２ｄは、右前脚１０３ｃおよび右後脚１０３ｄの右端と揃っているか、右前脚１０３ｃおよび右後脚１０３ｄの右端より右方に張り出している（この実施形態では、僅かに張り出している）。
【００５８】
そのため、スタッキング椅子１０１の使用姿勢において、平面視において、前脚３および後脚４が、座１０２の前側辺１０２ａ、左側辺１０２ｂ、後側辺１０２ｃおよび右側辺１０２ｄのいずれより外方にはみ出ていない。これにより、背凭れ１０５と座１０２とが干渉することなく、座１０２を、隣接して配置される他のスタッキング椅子１０１の座１０２と連結させることができる。
【００５９】
図１５は、スタッキング椅子１０１を複数組み合わせて、第３のベッド使用姿勢としたときの斜視図である。
４つのスタッキング椅子１０１を左右方向に連結させて１つの椅子列を作り、その椅子列２つを互いに前後に対向させ、その対向するスタッキング椅子１０１同士を連結することにより、第３のベッド態様にすることができる。
【００６０】
さらに他のベッド態様例として、複数（たとえば４個）のスタッキング椅子１０１を１列に並べることにより簡易ベッドを構成する例を挙げることができる。
第２の実施形態では、前述の第１の実施形態で述べた作用効果と同等の作用効果を奏する。
以上、この発明の２つの実施形態について説明したが、この発明はさらに他の形態で実施することもできる。
【００６１】
たとえば、第１の実施形態において、軸芯ロッド２５はロッド状のものに限られず、各前脚３の上端の回動支点が座２に設けられた構成であってもよい。
また、座２，１０２の４つの側辺に連結部を設ける構成について説明したが、座２，１０２の後側辺２ｃ，１０２ｃに連結部を設けず、他の３つの側辺２ａ，２ｂ，２ｄ，１０２ａ，１０２ｂ，１０２ｄのみに連結部を設けるようにしてもよい。また、少なくとも左右の側辺２ｂ，２ｄ，１０２ｂ，１０２ｄに連結部が設けられていれば、３つ以上の椅子１，１０１を左右に並べることにより（１列に並べることにより）簡易ベッドを構成することができる。
【００６２】
また、各連結部が２つの係合部（第１の係合部７１ａ〜７１ｄおよび第２の係合部７２ａ〜７２ｄ）を有する構成を例に挙げて説明したが、各連結部を、１つの係合部のみで実現することもできる。この場合、この係合部を２つ互いに対向配置しこれら２つの係合部を互いに接近させることによりこれらの係合部同士の係合が達成されるように、係合部が構成されている必要がある。
【００６３】
また、座２，１０２は、平面視で、略正方形ではなく、略長方形であってもよい。すなわち前側辺２ａと後側辺２ｃとの最短距離、および左側辺２ｂと右側辺２ｄとの最短距離が異なっていてもよい。
また、複数の椅子１，１０１を並べることにより簡易ベッドを構成する場合を例に挙げて説明したが、椅子１，１０１を他の椅子（椅子１，１０１とは異なる諸元を有する椅子）と組み合わせることにより、簡易ベッドを構成してもよい。
【００６４】
また、簡易ベッドの態様は、図１１、図１２および図１５に示した態様に限られず、組み合わせることにより、種々の態様を実現することができる。
その他、特許請求の範囲に記載された事項の範囲で種々の設計変更を施すことが可能で
ある。
【符号の説明】
【００６５】
１…折り畳み椅子、１Ａ〜１Ｄ…他の折り畳み椅子、２…座、２ａ…前側辺、２ｂ…左側辺、２ｃ…後側辺、２ｄ…右側辺、３…前脚、４…後脚、５…背凭れ、２６…切り欠き、７１ａ…第１の前側係合部、７１ｂ…第１の左側係合部、７１ｃ…第１の後側係合部、７１ｄ…第１の右側係合部、７２ａ…第２の前側係合部、７２ｂ…第２の左側係合部、７２ｃ…第２の後側係合部、７２ｄ…第２の右側係合部、１０１…折り畳み椅子、１０２…座、１０３…脚
【図１】
2019088467.tif 000003
【図２】
2019088467.tif 000004
【図３】
2019088467.tif 000005
【図４】
2019088467.tif 000006
【図５】
2019088467.tif 000007
【図６】
2019088467.tif 000008
【図７】
2019088467.tif 000009
【図８Ａ】
2019088467.tif 000010
【図８Ｂ】
2019088467.tif 000011
【図９】
2019088467.tif 000012
【図１０】
2019088467.tif 000013
【図１１】
2019088467.tif 000014
【図１２】
2019088467.tif 000015
【図１３】
2019088467.tif 000016
【図１４】
2019088467.tif 000017
【図１５】
2019088467.tif 000018